(57)【要約】【課題】  塵に対してより強い静電気力を作用させることにより、集塵効率を向上させることができる電気集塵機を提供することである。【解決手段】  電気集塵機の塵を収集するための電極として、ワイヤ電極２と対向電極１ａと格子状電極１ｂを設ける。【選択図】  図２
2005313090.tif 000002
【特許請求の範囲】
【請求項１】
コロナ放電を発生させて塵に電荷を与えるための放電用電極と、前記放電用電極により前記電荷を与えられた塵を収集するための集塵用電極とを備え、
前記集塵用電極は、前記塵が当該集塵用電極に入射する方向に垂直な面に沿って格子状に配設された格子状電極を備えることを特徴とする電気集塵機。
【請求項２】
前記放電用電極としてワイヤ電極と対向電極とを備えており、
前記対向電極は、前記ワイヤ電極の長手方向に沿って設けられるとともに、その一対が前記ワイヤ電極を挟むように対向して配置されており、
前記ワイヤ電極と前記対向電極との間でコロナ放電を発生させて前記塵に電荷を与えるようにされており、
前記格子状電極は、前記ワイヤ電極が配置される前後方向の位置より後方にあたる位置において前記対向電極間に組み込まれて設けられることを特徴とする請求項１に記載の電気集塵機。
【請求項３】
前記対向電極及び格子状電極が一体に形成された集塵部を備え、該集塵部の全体が同一の電位を取るように形成されており、
前記集塵部は、該集塵部に接触する他の電極を介して電源装置より電力を給電されるようにされた請求項２に記載の電気集塵機。
【請求項４】
前記集塵部における少なくとも前記他の電極が接触する部分が、導電性及び弾性を有する導電性弾性材料により形成されることを特徴とする請求項３に記載の電気集塵機。
【請求項５】
前記集塵部の全てが前記導電性弾性材料により形成されることを特徴とする請求項４に記載の電気集塵機。
【発明の詳細な説明】
【技術分野】
【０００１】
本発明は、放電によって塵に電荷を与え、該塵を電気力によって集塵する電気集塵機に関する。
【背景技術】
【０００２】
電気集塵機は、一般に、コロナ放電を発生させて該電気集塵機の近傍に浮遊している塵に電荷を与え、この電荷を与えられた塵を電気力によって収集する。
【０００３】
そして、従来の電気集塵機では、前記塵を収集するための電極として、ワイヤ電極と対向電極とを備えている。図７は、従来の電気集塵機に設けられるワイヤ電極及び対向電極を塵が入射する正面方向から眺めた状態を示す平面図である。
【０００４】
図７に示されるように、対向電極２１はワイヤ電極２２の長手方向に沿って配置されており、上下に隣接する一対の対向電極２１がワイヤ電極を挟んで対向するように設けられている。図７において、斜線が施された領域は、ここに入射した塵が対向電極２１の電位による電気力によって収集される領域を表している。
【０００５】
また、従来の電気集塵機には、導電性樹脂からなる樹脂電極を用いたものもある（例えば、特許文献１参照）。
【特許文献１】特開平８−２２７７８９号公報。
【発明の開示】
【発明が解決しようとする課題】
【０００６】
しかし、前記ワイヤ電極及び対向電極を備えた従来の電気集塵機によると、塵に対して十分な静電気力を作用させることができず、集塵効率は高くなかった。即ち、従来の電気集塵機によると、図７に示すように、対向電極２１の近傍の領域に入射した塵のみが収集された。
【０００７】
また、従来の放電電極が金属材料で形成された電気集塵機によると、上記電極が配置される領域においてコロナ放電を均一に放電させることができなかった。そのため、より強い電界が形成される場所では、電極間でスパークを生ずるという問題があった。そして、この問題を解消するため、放電電圧を低下させる必要があった。これにより、塵に対する静電気力の低下を生じ集塵効率の低下を招く場合があった。
【０００８】
この問題を解消するため、前記特許文献１には、放電電極を抵抗値の高い導電性樹脂で形成し、コロナ放電を均一にさせることが記載されている。しかし、放電電極を導電性樹脂で形成すると、その硬度が高いことにより電源装置からの給電を行う電極との接触部が電気的に不安定になり易く、放電動作を安定に行えないという問題があった。
【０００９】
そこで、本発明は、塵に対してより強い静電気力を作用させることにより集塵効率を向上させることができる電気集塵機を提供することを目的とする。さらに、電気的に安定に放電動作を行うことができる電気集塵機を提供することを目的とする。
【課題を解決するための手段】
【００１０】
上記課題を解決するため、本発明は、コロナ放電を発生させて塵に電荷を与えるための放電用電極と、前記放電用電極により前記電荷を与えられた塵を収集するための集塵用電極とを備え、
前記集塵用電極は、前記塵が当該集塵用電極に入射する方向に垂直な面に沿って格子状に配設された格子状電極を備えることを特徴とする電気集塵機である（請求項１）。
【００１１】
本発明の電気集塵機によると、前記格子状電極が設けられ、該格子状電極によって塵を収集できるので、集塵用電極により集塵する面積を拡大することができる。これにより、集塵効率を向上させることができる。
【００１２】
また、前記本発明の電気集塵機について、前記放電用電極としてワイヤ電極と対向電極とを備えており、
前記対向電極が、前記ワイヤ電極の長手方向に沿って設けられるとともに、その一対が前記ワイヤ電極を挟むように対向して配置されており、
前記ワイヤ電極と前記対向電極との間でコロナ放電を発生させて前記塵に電荷を与えるようにされており、
前記格子状電極が、前記ワイヤ電極が配置される前後方向の位置より後方にあたる位置において前記対向電極間に組み込まれて設けられたものとすることができる（請求項２）。
【００１３】
この発明の電気集塵機によると、前記対向電極及び格子状電極により塵が収集される。これにより、集塵効率を向上させることができる。
【００１４】
また、前記ワイヤ電極、前記対向電極及び格子状電極を備える電気集塵機について（請求項２）、前記対向電極及び格子状電極が一体に形成された集塵部を設け、該集塵部の全体を同一の電位を取るように形成し、
該集塵部を、該集塵部に接触する他の電極を介して電源装置より電力を給電されるようにすることができる（請求項３）。
【００１５】
この発明によると、前記対向電極及び格子状電極が一体に形成された集塵部を設けるので、これら電極を設けるための構造をコンパクトにできる。そして、集塵部に給電することにより前記対向電極及び格子状電極に給電できるので、これらの電極に給電するための前記他の電極の取り付けをコンパクトにできる。
【００１６】
また、前記集塵部を設けた電気集塵機について（請求項３）、前記集塵部における少なくとも前記他の電極が接触する部分を、導電性及び弾性を有する導電性弾性材料により形成することができる（請求項４）。
【００１７】
この発明の電気集塵機によると、前記集塵部の少なくとも前記他の電極が接触する部分については前記導電性弾性材料により形成されるので、前記他の電極の集塵部への接触をより確実にすることができる。これにより、集塵部への給電をより安定にすることができる。これにより、放電動作を安定させ、塵の収集を安定して行うことができ、集塵効率をより向上させることができる。
【００１８】
また、前記集塵部の全てを前記導電性弾性材料により形成することもできる（請求項５）。この発明によると、導電性弾性材料は電気抵抗値が高いため、金属材料を放電電極に使用したときに比べ放電電圧を上げても電極間でスパークする可能性が低くなる。これにより、放電動作を安定させ、塵の収集を安定して行うことができ、集塵効率をより向上させることができる。また、前記集塵部の全てを前記導電性弾性材料により形成するので、集塵部全体の形成を容易にできる。
【発明の効果】
【００１９】
本発明によると、集塵用電極として格子状電極を設けるので、塵に対してより強い静電気力を作用させることができ、より多くの塵を収集することができる。これにより、集塵効率を向上させることができる。
【００２０】
また、前記放電電極としての対向電極を導電性弾性材料で形成すると、コロナ放電を均一に放電させることができ、放電動作を安定させることができる。これにより、放電電圧を低下させる必要がないので塵に対する静電気力を低下させることなく、集塵効率の低下を防止することができる。
【発明を実施するための最良の形態】
【００２１】
本発明の実施の形態について、図１乃至図６を参酌しつつ説明する。図１は、本発明の一実施形態である電気集塵機１０を示す図である。図１は、電気集塵機１０を前後方向に分解した状態を示す分解斜視図である。図１において、手前側が電気集塵機１０に対する前方にあたる。図２は、電気集塵機１０として組み立てられた状態における電極ブロック７を前方側から眺めた状態を示す斜視図である。
【００２２】
図３は、電極ブロック７の右側方から電極ブロック７に設けられる電極を眺めた状態を示す平面図である。図３は、電極ブロック７の各電極の配置関係を示している。図４は、後カバー６を外して後方側から電気集塵機１０を眺めた状態を示す斜視図である。
【００２３】
電気集塵機１０は、図１に示されるように、前カバー５、電極ブロック７、及び後カバー６を備えている。前カバー５、電極ブロック７及び後カバー６は、前方側からこの順に配置され電気集塵機１０として組み立てられる。
【００２４】
電気集塵機１０には、電気集塵機１０に対する前方から塵が入射する。図１において、Ｐは電気集塵機１０に塵が入射する平均的な入射方向を示している。この入射方向Ｐは、電気集塵機１０の前カバー５の前面に垂直をなし、電気集塵機１０の前方から電気集塵機１０に向かう方向である。
【００２５】
なお、風によって塵を送るための図示されない送風手段が電気集塵機１０の後方に設けられており、この送風手段により電気集塵機１０に向かって塵が吸い込まれる。この送風手段により電気集塵機１０に向かって塵が吸い込まれる送風方向は、塵の平均的な入射方向Ｐと一致する。そして、電気集塵機１０に到達した塵は、さらに前カバー５に設けられる開口より電気集塵機１０内に入射し、後に説明する電極ブロック７に入射する。
【００２６】
電極ブロック７は、図１及び図２に示されるように、集塵部１及びワイヤ電極２を備えている。集塵部１には、対向電極１ａ及び格子状電極１ｂが設けられている。対向電極１ａの各々は、図２に示されるように、横方向である左右方向に沿って設けられている。そして、この左右方向に沿うように設けられた対向電極１ａの複数が上下方向に配置されている。
【００２７】
ワイヤ電極２は、図１乃至図３に示されるように、その長手方向が左右方向に沿うように設けられている。そして、ワイヤ電極２は、図２及び図３に示されるように、上下に隣接する一対の対向電極１ａ、１ａに挟まれるように設けられている。
【００２８】
格子状電極１ｂは、図２及び図３に示されるように、その長手方向が塵の入射方向Ｐと垂直をなす面に沿うように設けられている。そして、格子状電極１ｂは、図２及び図３に示されるように、前後方向におけるワイヤ電極２が配置される位置より後方の位置に設けられている。そして、格子状電極１ｂは、対向電極１ａ、１ａ間に組み込まれるように設けられている。
【００２９】
以上の対向電極１ａ及び格子状電極１ｂは、図４からも判るように、集塵部１として一体に形成されている。そして、集塵部１は、その全体が電気的に同電位となるように形成されている。
【００３０】
また、電気集塵機１０には、図１及び図４に示されるように、第一の給電用電極３及び第二の給電用電極４が設けられている。第一の給電用電極３は、集塵部１に給電するべく設けられている。
【００３１】
第一の給電用電極３は、図４に示されるように、その長手方向が横方向に沿うように設けられている。そして、第一の給電用電極３は、その長手方向に沿って集塵部１の後側に接触するように設けられている。第一の給電用電極３は図示されない電源装置に接続されており、この電源装置より出力された所定の電力が第一の給電用電極３を介して集塵部１に供給される。
【００３２】
第二の給電用電極４は、ワイヤ電極２に給電するべく設けられている。第二の給電用電極４は、図４に示されるように、集塵部１の横方向の外側の一方に設けられている。
【００３３】
第二の給電用電極４は、後方から前方に向かって設けられており、その前方部分でワイヤ電極２と接続されている。第二の給電用電極４は図示されない電源装置に接続されており、この電源装置より出力された所定の電力が第二の給電用電極４を介してワイヤ電極２に供給される。
【００３４】
なお、集塵部１及び第一の給電用電極３とワイヤ電極２及び第二の給電用電極４とは電気的に絶縁されるように設けられている。また、以上に説明した第一の給電用電極３及び第二の給電用電極４は、ステンレス等の金属材料によって形成されている。
【００３５】
以上に説明したワイヤ電極２及び対向電極１ａは、コロナ放電を発生させるための放電用電極にあたる。また、以上に説明した格子状電極１ｂは、塵を収集するための集塵用電極にあたる。
【００３６】
以上に説明した集塵部１について、導電性を有し、かつ弾性を有する導電性弾性材料により形成することができる。これにより、前記第一の給電用電極３を集塵部１にくい込ませ、第一の給電用電極３を集塵部１に確実に接触させることができる。
【００３７】
図５は、導電性弾性材料により集塵部１を形成した場合における第一の給電用電極３及び集塵部１の状態を示す図である。図５は、集塵部１及び第一の給電用電極３を側方から眺めた状態を示す図である。図５（ａ）は集塵部１の全体を表しており、図５（ｂ）は図５（ａ）の電極３が接触する部分を拡大して表した一部拡大図である。
【００３８】
集塵部１を導電性弾性材料により形成すると、図５に示されるように、第一の給電用電極３を集塵部１にくい込ませることができる。これにより、第一の給電用電極３をより確実に集塵部１に接触させることができ、より安定して集塵部１に給電することができる。
【００３９】
なお、集塵部１における第一の給電用電極３に接触するべき部分のみを導電性弾性材料により形成し、集塵部１の他の部分を導電性の金属材料や樹脂材料により形成することもできる。この場合にも、第一の給電用電極３を集塵部１にくい込ませて確実に集塵部１に接触させることができる。尚、導電性弾性材料は導電性のあるゴムやゴム系の合成材料などがあるが、導電性があり且つ弾性を有する材料であれば他のものでもよい。
【００４０】
次に、以上に説明した電気集塵機１０の動作について説明する。送風手段を動作させて送風することにより電気集塵機１０に塵を入射させる。そして、ワイヤ電極２と対向電極１ａ及び格子状電極１ｂとの各々に所定の電圧を印加すると、ワイヤ電極２と対向電極１ａ間にコロナ放電が発生する。
【００４１】
そして、コロナ放電の発生により、集塵部１に入射した塵に電荷が与えられる。そして、格子状電極１ｂの電位により形成された静電気力により塵が吸着され、格子状電極１ｂに塵が収集される。
【００４２】
図６は、集塵部１により塵が収集される状態を示す図である。図６は、電極ブロック７の一部を塵が入射する前方から眺めた状態を表す平面図である。電気集塵機１０では、図６における斜線が施された領域に入射した塵が収集される。
【００４３】
図６に示されるように、電気集塵機１０によると、対向電極１ａ及び格子電極１ｂに沿った領域に入射した塵が、電極１ｂの電位による静電気力によって収集される。
【００４４】
これにより、電気集塵機１０によると、集塵部１に入射した塵をより多く収集することができる。即ち、電気集塵機１０によると、従来の電気集塵機によっては対向電極間を通過して収集できなかった塵を収集することができる。このように、電気集塵機１０によると、集塵部１による集塵効率を向上させることができる。
【００４５】
また、電気集塵機１０によると、放電電極としての対向電極１ａを導電性弾性材料で形成することにより、コロナ放電を均一に放電させることができる。これにより、電極間でのスパークの発生を抑制でき、放電電圧を下げる必要をなくすることができる。これにより、塵を収集するための静電気力の低下を防ぎ、集塵効率の低下を防ぐこともできる。
【００４６】
以上に説明した電気集塵機１０の例では、格子状電極を設けることにより集塵部に矩形が形成される例を挙げた。本発明にかかる格子状電極を設けるにあたり、集塵部に三角形や平行四辺形が形成されるようにしてもよい。
【図面の簡単な説明】
【００４７】
【図１】本発明の一実施形態である電気集塵機の分解斜視図である。
【図２】電気集塵機の電極ブロックの斜視図である。
【図３】電気集塵機の集塵部の電極を側方から眺めた状態を示す平面図である。
【図４】集塵部の後方から電気集塵機を眺めた状態を示す斜視図である。
【図５】集塵部及び第一の給電用電極を側方から眺めた状態を示す図である。
【図６】集塵部の一部を正面方向から眺めた状態を示す平面図である。
【図７】従来の電気集塵機に設けられる電極を正面方向から眺めた平面図である。
【符号の説明】
【００４８】
１      集塵部
１ａ    対向電極
１ｂ    格子状電極
２      ワイヤ電極
３      第一の給電用電極
４      第二の給電用電極
５      前カバー
６      後カバー
７      電極ブロック
１０      電気集塵機
【図１】
2005313090.tif 000003
【図２】
2005313090.tif 000004
【図３】
2005313090.tif 000005
【図４】
2005313090.tif 000006
【図５】
2005313090.tif 000007
【図６】
2005313090.tif 000008
【図７】
2005313090.tif 000009